(57)【特許請求の範囲】
【請求項１】
走行機体に連結機構により機枠を連結し、該機枠に旧畦上に土を盛り上げる盛土機構を設け、該盛土機構の進行方向後方位置に畦面を外周面部分の圧接回転により回転整畦可能な回転整畦体からなる整畦機構を設け、上記回転整畦体は畦の一方側面を回転整畦可能な側面整畦部及び畦の上面を整畦可能な上面整畦部からなり、該側面整畦部及び上面整畦部は、それぞれ、両端部にリング材が配設され、該両リング材の間に複数個の桟材が間隔を置いて固着されてなり、該各桟材を該回転整畦体の回転方向前方から後方に向かうに従って次第に外方に突出する圧締面部に形成すると共に隣る圧締面部の間を通穴に形成してなることを特徴とする整畦機。
【請求項２】
上記上面整畦部を上記側面整畦部に対して着脱自在に設けてなることを特徴とする請求項１記載の整畦機。
【発明の詳細な説明】
【０００１】
【発明の属する技術分野】
本発明は例えば畦の造成作業や修復作業等に用いられる整畦機に関するものである。
【０００２】
【従来の技術】
従来この種の整畦機としては、特開昭５１−１４１２１２号公報、実公昭５１−４７７８５号公報、実開昭５３−１０２４１１号公報、実開昭５３−２０３１６号公報、特開昭５１−１００４０９号公報、実開昭６０−１１９２０９号公報、実開昭６１−１７５９０５号公報、特開昭６１−４７１０３号公報、特開昭６１−２１２２０２号公報、実開昭６２−１５０７号公報、実開昭６１−１５８１０５号公報、実開平３−７９６０５号公報、実開平５−６０２０７号公報に示す構造のものが知られている。
【０００３】
これらの従来構造にあっては、走行機体に連結機構により機枠を上下動可能に連結し、機枠に盛土機構としての旧畦上に土を跳ね上げる回転ロータをその回転軸線を畦造成方向と平行又は交差する方向に設け、機枠に回転ロータの上方及び畦の上方にカバー部材を設け、回転ロータの進行方向後方位置に畦の上面及び畦の一方側面に合わせた形状の整畦体を設け、かつ該走行機体の動力取出軸を駆動源として整畦体を往復畦叩動作させるクランク式又は油圧式の畦叩機構を設け、走行機体を旧畦に沿って走行させ、回転ロータで圃場中の泥土を旧畦上に盛り上げ、この盛土を整畦体の畦叩き動作により叩き付けるようにして構成したものである。
【０００４】
また他の従来構造にあっては、整畦機構として、走行機体の動力取出軸を駆動源として整畦体を振動動作させる振動機構を設けて構成し、旧畦上に盛り上げられた盛土を整畦体の振動動作により締め付けるように構成したものである。
【０００５】
【発明が解決しようとする課題】
しかしながら上記従来構造の場合、地方により相異する畦の土質や天候等の作業条件によっては、必ずしも満足した整畦作業を行い得ないことがあるという不都合を有している。
【０００６】
【課題を解決するための手段】
本発明はこのような不都合を解決することを目的とするもので、本発明のうちで、請求項１記載の発明は、走行機体に連結機構により機枠を連結し、該機枠に旧畦上に土を盛り上げる盛土機構を設け、該盛土機構の進行方向後方位置に畦面を外周面部分の圧接回転により回転整畦可能な回転整畦体からなる整畦機構を設け、上記回転整畦体は畦の一方側面を回転整畦可能な側面整畦部及び畦の上面を整畦可能な上面整畦部からなり、該側面整畦部及び上面整畦部は、それぞれ、両端部にリング材が配設され、該両リング材の間に複数個の桟材が間隔を置いて固着されてなり、該各桟材を該回転整畦体の回転方向前方から後方に向かうに従って次第に外方に突出する圧締面部に形成すると共に隣る圧締面部の間を通穴に形成してなることを特徴とする整畦機にある。
【０００７】
又、請求項２記載の発明は、上記上面整畦部を上記側面整畦部に対して着脱自在に設けてなるものである。
【０００８】
【発明の実施の形態】
図１乃至図９は本発明の実施の形態例を示し、図１乃至図８は第一形態例、図９は第二形態例である。
【０００９】
図１乃至図８の第一形態例において、１は走行機体であって、この場合トラクタが用いられ、走行機体１の後部に三点リンク式の連結機構２により機枠３を上下動可能に連結している。
【００１０】
４は盛土機構であって、この場合回転ロータからなる盛土体５から構成され、この盛土体５はロータ胴５ａの外周に複数個の掻上刃５ｂを突設すると共にロータ胴５ａに取付軸５ｃを突設してなり、上記機枠３に盛土体５をその回転軸線を畦造成方向と平行にして回転自在に取付け、機枠３に走行機体１に設けられた動力取出軸６により回転する主軸７を軸受し、盛土体５を主軸７より変向用ギヤ列８及びチェーン機構９を介して回転させ、この盛土体５の回転により畦際の圃場面Ｍの土を削出軌跡Ｎをもって削出して旧畦に向けて跳ね上げて盛り上げるように構成している。
【００１１】
１０はカバー部材であって、この場合上記機枠３に取り付けられ、上記盛土体５の上方及び畦Ｗの上方を覆う形状に形成され、カバー部材１０の畦側に側部カバー部材１１が上下動自在に取り付けられている。
【００１２】
１２は整畦機構であって、この場合畦Ｗ面を外周面部分の圧接回転により回転整畦可能な筒状の回転整畦体１３と回転機構１４とからなり、回転整畦体１３は畦Ｗの一方側面Ｗ2を整畦可能な側面整畦部１３ａ及び畦Ｗの上面Ｗ1を整畦可能な上面整畦部１３ｂとを着脱自在に設け、回転軸線Ｐ1を水平方向に配置し、この回転整畦体１３を回転機構１４により回転軸線Ｐ1を中心として図中矢印方向に強制回転されるように構成している。
【００１３】
この場合、回転整畦体１３としての側面整畦部１３ａ及び上面整畦部１３ｂの外周面部分に回転整畦体１３の回転方向前方から後方に向かうに従って次第に外方に突出する圧締面部Ｋを間隔を置いて複数個形成すると共に隣る圧締面部Ｋ・Ｋの間に通穴Ｆを形成している。
【００１４】
この場合、上記機枠３に取付枠１５を取付け、取付枠１５にブラケット１６を突設し、ブラケット１６に軸受筒１７を取付け、この軸受筒１７に駆動軸１８を回転自在に横設し、上記機枠３の後部側面に枠体１９を設け、枠体１９内に歯車機構２０及びチェーン機構２１を内装し、枠体１９の下部に伝導軸２２を横設し、伝導軸２２と主軸７とを歯車機構２０とチェーン機構２１とにより伝導連結すると共に駆動軸１８と伝導軸２２とを伸縮自在な自在継手２３により連結し、この駆動軸１８に回転整畦体１３の中心に配置したロータ軸１３ｃを連結し、しかして、主軸７の回転により回転整畦体１３を図中矢印方向に回転させ、回転整畦体１３の外周面部分の回転接触により畦Ｗの一方側面Ｗ2を締圧整畦すると共に畦Ｗの上面Ｗ1を締圧整畦するように構成している。
【００１５】
又、上記回転整畦体１３としての側面整畦部１３ａは大径のリング材２４ａと小径のリング材２４ｂとの間に複数個の板状の桟材２４ｃを間隔を置いて放射状に溶接固着すると共に各桟材２４ｃの内周面に補強リング２４ｄを溶接固着し、かつ、側面整畦部１３ａの中心に六角軸状のロータ軸１３ｃに挿通固定される連結軸２４ｅを配置し、連結軸２４ｅと大径のリング材２４ａ及び小径のリング材２４ｂとの間に複数個の連結杆２４ｆを溶接連結してなり、又、上面整畦部１３ｂは、同径のリング材２５ａとリング材２５ｂとの間に複数個の板状の桟材２５ｃを間隔を置いて放射状に溶接固着し、かつ、側面整畦部１３ａの中心に六角軸状のロータ軸１３ｃに挿通固定される連結軸２５ｄを配置し、連結軸２５ｄとリング材２５ａ及びリング材２５ｂとの間に複数個の連結杆２５ｅを溶接連結してなり、この複数個の桟材２４ｃ・２５ｃの各外面を回転整畦体１３の回転方向前方から後方に向かうに従って次第に外方に突出する圧締面部Ｋに形成すると共に隣る圧締面部Ｋ・Ｋの間を通穴Ｆとして形成し、ロータ軸１３ｃから連結軸２５ｄを挿脱することにより上面整畦部１３ｂを側面整畦部１３ａに対して着脱自在に設けて構成している。
【００１６】
２６は削土機構であって、この場合カバー部材１０に中間軸２７を進行方向前後方向に軸架すると共に保持枠２８を中間軸２７と同心上に上下揺動自在に枢着し、保持枠２８の先端部にロータ軸２９を回転自在に取付け、ロータ軸２９に複数個のナギナタ状の刃体をもつ削土ロータ３０を取付け、主軸７と中間軸２７との間にチェーン機構３１を掛回すると共に中間軸２７とロータ軸２９との間にチェーン機構３２を架設し、上記盛土機構４の盛土体５の進行方向前方位置の旧畦の上面部分を主軸７により回転する削土ロータ３０によって削出軌跡Ｓをもって回転削土するように構成したものである。
【００１７】
３３は安定部材であって、この場合ゴムタイヤ等の車輪からなる。
【００１８】
この実施の第一形態例は上記構成であるから、走行機体１を旧畦に沿って走行し、動力取出軸６を回転すると一方では盛土体５としての回転ロータが畦際の圃場泥土を旧畦上に連続的に跳ね上げて盛り上げ、カバー部材１０は盛土体５の上方及び畦側方への泥土飛散を防止し、跳ね上げられた泥土は外方飛散を防がれて自重落下し、他方では走行機体１の動力取出軸６を駆動源として整畦機構１２が駆動され、回転整畦体１３は回転機構１４により回転し、旧畦上に盛り上げられた土は回転整畦体１３の畦Ｗの一方側面Ｗ2を整畦可能な側面整畦部１３ａの外周面部分及び畦Ｗの上面Ｗ1を整畦可能な上面整畦部１３ｂの外周面部分の圧接回転接触により畦Ｗの一方側面Ｗ2及び畦の上面Ｗ1を締圧整畦することができ、よって、整畦構造を簡素化することができると共に回転整畦体１３の外周面部分の回転すべり接触により畦Ｗの一方側面Ｗ2及び畦Ｗの上面Ｗ1を円滑に締圧整畦することができ、この際、上記回転整畦体１３の外周面部分に回転整畦体１３の回転方向前方から後方に向かうに従って次第に外方に突出する圧締面部Ｋを間隔を置いて複数個形成すると共に隣る圧締面部Ｋの間に通穴Ｆを形成しているから、回転整畦体１３の回転により圧締面部Ｋによって畦面を徐々に確実に締圧することができると共に通穴Ｆにより脈動的に畦面を締圧することになり、一層確実に締圧することができると共に通穴Ｆの存在により回転整畦体１３の外周面部分への土の付着現象を抑制することができ、それだけ堅牢な畦を得ることができて良好な整畦作業を行うことができる。
【００１９】
又、この場合、削土機構２６により旧畦面を予め削土でき、この削土された畦面上に盛土機構４により盛土することになるから、旧畦土と盛土との結着性を高めることができ、それだけ強固な畦を得ることができる。
【００２０】
又、この場合、上記上面整畦部１３ｂを上記側面整畦部１３ａに対して着脱自在に設けて構成しているから、上面整畦部１３ｂを取り外すことにより高い畦の側面、道路や堤防の法面を締圧することができ、用途の融通性を高めることができる。
【００２１】
図９の第二形態例は、整畦機構１２の別例構造を示し、この場合、回転整畦体１３の回転軸線Ｐ1を畦Ｗの一方側面Ｗ2の側方から畦Ｗ側へ斜め上方に向かう所定角度θの上向き方向に配置され、この回転整畦体１３は回転機構１４により回転軸線Ｐ1を中心として図中矢印方向に強制回転されるように構成している。
【００２２】
この第二形態例によっても、上記第一形態例と同様な作用効果を得ることができると共に回転整畦体１３の回転軸線Ｐ1は畦Ｗの一方側面Ｗ2の側方から畦Ｗ側へ斜め上方に向かう所定角度θの上向き方向に配置しているので、回転整畦体１３の外周面部分によりなされる畦Ｗの一方側面Ｗ2への土の押し付け送り長さを長くすることができ、それだけ土の締圧を良好なものとすることができると共に回転整畦体１３の垂直方向の高さを低くすることができ、それだけ装置全体の機高を低くすることができて小型化を図ることができる。
【００２３】
尚、本発明は上記実施の形態例に限られるものではなく、例えば盛土機構４として、畦造成方向に対して交差する方向の回転軸線をもつ回転ロータを採用することもでき、又、上記実施の形態例における回転整畦体１３を油圧式や偏心ウエイト方式の振動機構により振動させたり、又、クランク方式や油圧方式からなる畦叩き機構により畦叩き運動させる付加構造を採用することもあり、又、圧締面部Ｋ及び通穴Ｆの個数や形状等は適宜変更して設計される。
【００２４】
【発明の効果】
本発明は上述の如く、請求項１記載の発明にあっては、走行機体を旧畦に沿って走行すると一方では盛土機構が畦際の圃場泥土を旧畦上に盛り上げ、他方では整畦機構が駆動され、旧畦上に盛り上げられた土を回転整畦体の外周面部分の圧接回転により締圧整畦することができ、よって、整畦構造を簡素化することができると共に回転整畦体の外周面部分の回転圧接により畦面を円滑に締圧整畦することができ、この際、上記回転整畦体は畦の一方側面を回転整畦可能な側面整畦部及び畦の上面を整畦可能な上面整畦部からなり、該側面整畦部及び上面整畦部は、それぞれ、両端部にリング材が配設され、該両リング材の間に複数個の桟材が間隔を置いて固着されてなり、該各桟材を該回転整畦体の回転方向前方から後方に向かうに従って次第に外方に突出する圧締面部に形成すると共に隣る圧締面部の間を通穴に形成しているから、回転整畦体の回転により圧締面部によって畦面を徐々に確実に締圧することができると共に通穴により脈動的に畦面を締圧することになり、畦面を確実に締圧することができると共に通穴の存在により回転整畦体の外周面部分への土の付着現象を抑制することができ、それだけ堅牢な畦を得ることができて良好な整畦作業を行うことができ、かつ、旧畦上に盛り上げられた土は回転整畦体の畦の一方側面を整畦可能な側面整畦部の外周面部分及び畦の上面を整畦可能な上面整畦部の外周面部分に形成された各圧締面部の圧接回転接触により畦の一方側面及び畦の上面を同時に締圧整畦することができ、それだけ堅牢な畦を得ることができ、さらに、上記側面整畦部及び上面整畦部は、それぞれ、両端部にリング材が配設され、該両リング材の間に上記圧締面部となる複数個の桟材が間隔を置いて固着されてなるから、回転整畦体を含む整畦機構の簡素化を図ることができる。
【００２５】
又、請求項２記載の発明にあっては、上面整畦部を上記側面整畦部に対して着脱自在に設けてなるから、上面整畦部を取り外すことにより高い畦の側面、道路や堤防の法面を締圧することができ、用途の融通性を高めることができる。
【００２６】
以上の如く、所期の目的を充分達成することができる。
【図面の簡単な説明】
【図１】  本発明の実施の第一形態例の全体側面図である。
【図２】  本発明の実施の第一形態例の側面図である。
【図３】  本発明の実施の第一形態例の平断面図である。
【図４】  本発明の実施の第一形態例の後面図である。
【図５】  本発明の実施の第一形態例の前面図である。
【図６】  本発明の実施の第一形態例の拡大断面図である。
【図７】  本発明の実施の第一形態例の部分拡大断面図である。
【図８】  本発明の実施の第一形態例の部分斜視図である。
【図９】  本発明の実施の第二形態例の部分後面図である。
【符号の説明】
Ｗ  畦
Ｗ1  上面
Ｗ2  側面
Ｋ  圧締面部
Ｆ  通穴
１  走行機体
２  連結機構
３  機枠
４  盛土機構
１２  整畦機構
１３  回転整畦体
１３ａ  側面整畦部
１３ｂ  上面整畦部
２４ａ  リング材
２４ｂ  リング材
２４ｃ  桟材
２５ａ  リング材
２５ｂ  リング材
２５ｃ  桟材
【図１】
0004432001.tif 000002
【図２】
0004432001.tif 000003
【図３】
0004432001.tif 000004
【図４】
0004432001.tif 000005
【図５】
0004432001.tif 000006
【図６】
0004432001.tif 000007
【図７】
0004432001.tif 000008
【図８】
0004432001.tif 000009
【図９】
0004432001.tif 000010